(57)【特許請求の範囲】
【請求項１】
水道等の水栓に装着されて直放水か水処理装置本体を経由させるかを切り換える流路切換部と水処理装置本体との間を、原水を流路切換部から水処理装置本体側に送るための往路ホースと、水処理装置で処理した処理水を流路切換部側に戻して流路切換部が備える吐水専用口から吐出させるための復路ホースとで接続しているとともに、上記往路ホースと復路ホースとは異口径で且つ大径側のホース内に小径側のホースを収納した多重管ホースとして形成しており、
上記二重管ホースの小径側ホースの端末に装着されて流路切換部及びまたは水処理装置本体側の小径接続口に接続される小径側継手は、二重管ホースの大径側ホースの端末に装着されて流路切換部及びまたは水処理装置本体側の大径接続口に接続される大径側継手内面に弾性係止されてスラスト位置規制を行う弾性係止片を外面に備えていることを特徴とする水処理装置。
【請求項２】
前記小径側ホース長が前記大径側ホース長より長いことを特徴とする請求項１記載の水処理装置。
【請求項３】
前記弾性係止片による大径側継手と小径側継手とのスラスト位置規制がスラスト方向の両方向に対してなされていることを特徴とする請求項１または２記載の水処理装置。
【請求項４】
前記大径側継手を流路切換部及びまたは水処理装置本体に固定する取付ナットが、前記小径側継手も流路切換部及びまたは水処理装置本体に固定していることを特徴とする請求項１〜３のいずれか１項に記載の水処理装置。
【発明の詳細な説明】
【技術分野】
【０００１】
本発明は水道水や井戸水等の原水を電気分解してアルカリイオン水や酸性イオン水を生成する電解水生成装置や浄水器及びミネラル整水器等の水処理装置本体を、水栓に設けた流路切換部にホースで接続した水処理装置に関するものである。
【背景技術】
【０００２】
設置の工事を必要としない据え置き型の水処理装置は、水栓に取り付けた流路切換部から水処理装置本体側に水を送り、水処理装置本体に設けた吐水口から処理済みの水を吐出するように構成しているが、この場合、水処理装置本体はその吐水口がシンク内に位置するところに配置しなくてはならないことから、卓上タイプの食器洗浄機などもキッチンに配置している場合、その設置スペースの確保が困難となる。
【０００３】
水処理装置本体で処理した水を流路切換部に戻して流路切換部から吐出するようにすれば水処理装置本体の設置場所に関する制約が少なくなるが、この場合、流路切換部から水処理装置本体への往路ホースと水処理装置本体から流路切換部への復路ホースの２本が必要となり、外観上、問題が多くなる上に、ホースの接続の手間も増える。
【０００４】
ホースとして二重管ホースを用いて、異なる処理を施した水を二重管ホースで吐水口側に送るようにしたものが特許文献１に示されているが、このものでは水処理装置本体側には別配管で原水を供給しているために、この別配管のための設置工事を必要としている。
【特許文献１】特開平１１−１８２７１７号公報
【発明の開示】
【発明が解決しようとする課題】
【０００５】
本発明は上記の点に鑑みたものであって、設置工事を必要としない上に水処理装置本体の設置場所についての制約も少なく、しかも美観もすぐれた水処理装置を提供することを課題とするものである。
【課題を解決するための手段】
【０００６】
本発明は上記課題を達成するために、水道等の水栓に装着されて直放水か水処理装置本体を経由させるかを切り換える流路切換部と水処理装置本体との間を、原水を流路切換部から水処理装置本体側に送るための往路ホースと、水処理装置で処理した処理水を流路切換部側に戻して流路切換部が備える吐水専用口から吐出させるための復路ホースとで接続しているとともに、上記往路ホースと復路ホースとは異口径で且つ大径側のホース内に小径側のホースを収納した多重管ホースとして形成していることに特徴を有している。
【０００７】
流路切換部から水処理装置本体に送った水は処理された後、流路切換部に戻されて吐水されるために、水処理装置本体の設置場所に関する制約が少ないものであり、しかも流路切換部と水処理装置本体は見かけ上、１本のホースで接続されているために美観も良いものである。
【０００８】
加えるに本発明は、二重管ホースの小径側ホースの端末に装着されて流路切換部及びまたは水処理装置本体側の小径接続口に接続される小径側継手は、二重管ホースの大径側ホースの端末に装着されて流路切換部及びまたは水処理装置本体側の大径接続口に接続される大径側継手内面に弾性係止されてスラスト位置規制を行う弾性係止片を外面に備えていることから、両継手の位置関係が定まったものとなっており、従って接続口への接続作業が容易となるとともにシールも確実となる。
【０００９】
前記小径側ホース長は前記大径側ホース長より長いことが好ましい。大径側継手の径をさほど大きくしなくても大径側継手と小径側継手との間に流路を確保することができる。
【００１０】
そして、弾性係止片による大径側継手と小径側継手とのスラスト位置規制がスラスト方向の両方向に対してなされていることが好ましい。接続口からの取り外しも容易となる。また、前記大径側継手を流路切換部及びまたは水処理装置本体に固定する取付ナットが、前記小径側継手も流路切換部及びまたは水処理装置本体に固定していることが好ましい。
【発明の効果】
【００１１】
本発明は流路切換部から水処理装置本体に送った水は処理された後、流路切換部に戻されて吐水されるために、水処理装置本体はその吐水を考慮する必要がなく、従って設置場所に関する制約が少ないために、設置スペースの少ないところでも設置が可能なものであり、しかも流路切換部と水処理装置本体は見かけ上、１本のホースで接続されているために美観も良く、ホースと流路切換部との接続などの作業も容易なものである。しかも、二重管ホースの小径側ホースの端末に装着されて流路切換部及びまたは水処理装置本体側の小径接続口に接続される小径側継手は、二重管ホースの大径側ホースの端末に装着されて流路切換部及びまたは水処理装置本体側の大径接続口に接続される大径側継手内面に弾性係止されてスラスト位置規制を行う弾性係止片を外面に備えているために、両継手の位置関係が定まったものとなっており、従って接続口への接続作業が容易となるとともにシールも確実に行うことができる。
【発明を実施するための最良の形態】
【００１２】
以下本発明を図示の実施例に基づいて説明すると、この水処理装置は図７に示すように、水栓１９の先端に装着される流路切換部１と水処理装置本体３とをホース２で接続したものであり、上記流路切換部１は上下に回動自在とされたレバー１５を図８に示すように操作することで、水栓１９からの水を直接放水する状態と、同じく水栓１９からの水をシャワー状に直接放水する状態と、水栓１９からの水をいったん水処理装置本体３側に送って水処理装置本体３で処理されるとともに返送されてきた水を下面に備える吐水口から放出する状態とを切り換えるものとして形成されている。
【００１３】
この流路の切換は、図示例においては図１に示すように上記レバー１５の操作で回転するカム軸１１が複数のバルブ軸１２を動かすことで行っているが、たとえばロータリーバルブなどを使用して流路を切り換えるものであってもよい。
【００１４】
ここにおける水処理装置本体３としては、浄水を行うもの、ミネラルを付加するもの、電気分解によってアルカリイオン水や酸性水を生成するもの等を用いることができる。また上記の複数の機能を兼ね備えたものであってもよく、この場合、流路切換部１に返送する処理済みの水は、水処理装置本体３が備える複数機能のうちの１つの機能による処理がなされた水で、他の機能による水は水処理装置本体３から直接外部に放出されるものであってもよい。
【００１５】
そして、上記流路切換部１と水処理装置本体３とは１本のホース２で接続されているのであるが、このホース２は図１に示すように、大径側ホース２１内に小径側ホース２２を収容した二重管ホースとして形成されている。なお、流路切換部１から水処理装置本体３側に原水を送る往路と、水処理装置本体３側から流路切換部１に処理水を返送する復路とを、大径側ホース２１内面と小径側ホース２２内面との間の流路と、小径側ホース２２内の流路のどちらに対応させるかについては自由であるが、抗菌処理をホース２に施す場合は、小径側ホース２２内の流路を往路とするのが好ましい。処理水が大径側ホース２１内面と小径側ホース２２外面とに接触するために抗菌処理面に対する接触面積が大きくなるからである。
【００１６】
上記二重管ホースとしてのホース２と流路切換部１との接続は、ここでは小径側継手４と大径側継手５を夫々小径側ホース２２の端末と大径側ホース２１の端末に装着することで行っている。この点について詳しく説明すると、小径側ホース２２の端末の内面に差し込まれる差し込み部を一端側に備えた小径側継手４はホース２２外に露出する部分に複数本の弾性係止片４１を備えるとともに外周面にＯリング４０を備えたもので、かしめリング４２によって小径側ホース２２に固定される。また大径側継手５も大径側ホース２１の端末の内面に差し込まれる差し込み部を備えるとともにホース２１外に露出する部分の外周面にＯリング５０を備えており、また上記弾性係止片４１の先端フック部が係止されて小径側継手４との間のスラスト方向位置決めを行う係止孔５１を備え、かしめリング５２によって大径側ホース２１に固定される。
【００１７】
組立手順に従って流路切換部１との間の接続について説明すると、図２に示すようにホース２の外周に取付ナット２５とかしめリング５２を大径側ホース２１の外周に通すとともに小径側ホース２２の外周にかしめリング４２を通した状態で、大径側ホース２１よりも少し長い小径側ホース２２の端末に小径側継手４の差し込み部を差し込んで上記かしめリング４２をかしめることで、小径側ホース２２に小径側継手４を固定する。
【００１８】
次いで図３及び図４に示すように、大径側継手４の差し込み部を大径側ホース２１の端末に差し込むのであるが、この時、大径側継手４の内部を通されることになる小径側継手４は外周方向に突出している弾性係止片４１を撓ませ、上記差し込み部が大径側ホース２１に全て差し込まれた状態では小径側継手４の弾性係止片４１が図５に示すように大径側継手５の係止孔５１に係止して、両継手４のスラスト方向の位置決めがなされると同時に、大径側継手５内面側の係止孔５１は軸方向の溝につながっていることから、上記係止によって図５(b)から明らかなように軸回りの相互回転も防止された状態となる。
【００１９】
この後、かしめリング５２をかしめることで大径側ホース２１への大径側継手５の固定を行い、次いで図１に示すように、流路切換部１が備える大径接続口１７とこの大径接続口１７内に位置する小径接続口１６とに夫々大径側継手５の先端と小径側継手４の先端を差し込み、大径接続口１７の外面に設けた雄ねじに取付ナット２５を締め付けることで上記両継手４，５の抜け止めを行うことで接続が完了する。なお、ホース２と水処理装置本体３との接続も同様な構成としているために説明を省略する。
【００２０】
ここで、小径側ホース２２を大径側ホース２２よりも少し長くしているのは、上記両継手４，５の位置をスラスト方向に少しずらすことで大径側継手４の径をさほど大きくしなくても大径側継手５の内面と小径側継手４の外面との間に流路を確保することができるようにするためである。
【００２１】
また、ホース２１，２２は全長の２〜５％程度の寸法公差を持っているが、弾性係止片４１と係止孔５１とによる両継手４，５の連結によって、継手４，５のスラスト方向の前後位置関係が定まったものとなっているために、継手４，５が夫々備えるＯリング４０，５０によるシールを常に確実に得られるものとなるとともに、流路切換部１に対する着脱時の操作が容易となっている。
【００２２】
上記実施例では、大径側ホース２１と小径側ホース２２の２本で構成される二重管ホースを示したが、大中小の各ホースが入れ子になった三重管ホースや、大径側ホース２１内に二本の小径側ホース２２，２２を収容したものを用いてもよく、この場合、復路を複数として、処理の異なる水を流路切換部１側に戻すことができるものとなる。
【図面の簡単な説明】
【００２３】
【図１】本発明の実施例の形態の一例を示す流路切換部とホースとの接続部の水平断面図である。
【図２】同上の接続工程を示す断面図である。
【図３】同上の接続工程を示す断面図である。
【図４】(a)は同上の接続工程を示す断面図、(b)は部分拡大断面図である。
【図５】(a)は同上の接続工程を示す断面図、(b)は横断面図である。
【図６】同上の接続工程を示す断面図である。
【図７】全体構成を示す斜視図である。
【図８】(a)(b)は同上の流路切換部のレバー動作を示す斜視図である。
【符号の説明】
【００２４】
１  流路切換部
２  ホース
３  水処理装置本体
４  小径側継手
５  大径側継手
２１  大径側ホース
２２  小径側ホース
４１  弾性係止片
【図１】
0004742780.tif 000002
【図２】
0004742780.tif 000003
【図３】
0004742780.tif 000004
【図４】
0004742780.tif 000005
【図５】
0004742780.tif 000006
【図６】
0004742780.tif 000007
【図７】
0004742780.tif 000008
【図８】
0004742780.tif 000009